(57)【要約】【課題】光学素子の光軸方向に対する傾きを精度良く調整する。【解決手段】レンズ鏡筒は、光学素子を保持する枠体と、枠体を保持する筒状の枠体保持部材と、光学素子の光軸が枠体保持部材の所定軸と平行になるように、枠体保持部材の所定軸に対する枠体の傾きを調整する調整部とを備える。調整部は、ねじ頭と雄ねじ部が形成されたねじ軸とを有する調整用ねじと、枠体保持部材に、光軸と平行な方向に沿って延びるように、かつ雄ねじ部と螺合可能に形成された雌ねじ部と、枠体に、光軸と平行な方向に沿って穿設された貫通孔と、ねじ軸が貫通孔に挿通されるとねじ頭に当接する貫通孔の周囲の当接部と、枠体保持部材に、雌ねじ部に連続して形成された穴部とを含む。ねじ軸は、雄ねじ部から調整用ねじのねじ先側に延設され、穴部に嵌合する嵌合部を有する。【選択図】図３
2018049049.tif 000002
【特許請求の範囲】
【請求項１】
光学素子を保持する枠体と、
前記枠体を保持する筒状の枠体保持部材と、
前記光学素子の光軸が前記枠体保持部材の所定軸と平行になるように、前記枠体保持部材の前記所定軸に対する前記枠体の傾きを調整する調整部と、
を備え、
前記調整部は、
ねじ頭と雄ねじ部が形成されたねじ軸とを有する調整用ねじと、
前記枠体保持部材に、前記光軸と平行な方向に沿って延びるように、かつ前記雄ねじ部と螺合可能に形成された雌ねじ部と、
前記枠体に、前記光軸と平行な方向に沿って穿設された貫通孔と、
前記ねじ軸が前記貫通孔に挿通されると前記ねじ頭に当接する前記貫通孔の周囲の当接部と、
前記枠体保持部材に、前記雌ねじ部に連続して形成された穴部と、
を含み、
前記ねじ軸は、前記雄ねじ部から前記調整用ねじのねじ先側に延設され、前記穴部に嵌合する嵌合部を有する、
レンズ鏡筒。
【請求項２】
前記枠体と前記枠体保持部材との間に配置され、前記当接部が前記ねじ頭に当接するように、前記枠体を前記枠体保持部材から離れる向きに付勢する付勢部材を更に備える、
請求項１に記載のレンズ鏡筒。
【請求項３】
前記枠体保持部材及び前記調整用ねじは、それぞれ、金属製である、
請求項１又は２に記載のレンズ鏡筒。
【請求項４】
前記雌ねじ部は、前記枠体保持部材に予め形成されている、
請求項３に記載のレンズ鏡筒。
【請求項５】
前記ねじ軸は、前記ねじ頭と前記雄ねじ部との間に形成され、前記貫通孔に挿通する位置決め部を更に有する、
請求項１〜４のいずれか１項に記載のレンズ鏡筒。
【請求項６】
前記調整部は、前記枠体保持部材の周方向に沿って３箇所に設けられている、
請求項１〜５のいずれか１項に記載のレンズ鏡筒。
【請求項７】
前記貫通孔は、前記光軸に平行な方向から見た平面視において、前記枠体保持部材の周方向における長さより径方向における長さの方が長い長孔に形成されている、
請求項６に記載のレンズ鏡筒。
【発明の詳細な説明】
【技術分野】
【０００１】
本発明は、レンズ鏡筒に関するものである。
【背景技術】
【０００２】
近年、レンズ鏡筒に対する要求品質が高まり、高性能、高信頼性の両立が求められている。そこで、光学性能の高性能化を図るために、光軸方向に対するレンズの傾きの調整が可能なレンズ鏡筒が提案されている（特許文献１参照）。特許文献１に記載のレンズ鏡筒は、筒体と、筒体に対して傾き調整可能に配置された光学素子を保持する保持枠と、筒体と保持枠との間に配置されたスペーサとを有する。このスペーサは、保持枠を基準位置に位置決めするための第１の位置と、第１の位置から筒体の中心軸まわりに所定角度回動した位置であって、保持枠の傾きを調整可能とする第２の位置との間を変位可能にされている。そして、特許文献１に記載のレンズ鏡筒は、スペーサが調整位置に配置されている状態で、保持枠の光軸方向に対する傾き及び位置を調整することが可能に構成されている。
【先行技術文献】
【特許文献】
【０００３】
【特許文献１】特開２００９−１５６９６０号公報
【発明の概要】
【発明が解決しようとする課題】
【０００４】
上記特許文献１に記載のレンズ鏡筒では、保持枠の周方向に沿って、略等間隔に３つの調整ねじが設けられており、これらの調整ねじが、ねじ穴にねじ止めされている。そして、この３つの調整ねじを締めたり緩めたりすることで、保持枠の光軸方向に対する傾き及び位置が調整されている。調整ねじを用いる上記特許文献１に記載のレンズ鏡筒では、光学素子の光軸方向に対する傾きの調整を、更に精度良く行えるようにすることが望まれていた。
【０００５】
本発明は、光学素子の光軸方向に対する傾きを精度良く調整することが可能なレンズ鏡筒を提供することを目的とする。
【課題を解決するための手段】
【０００６】
本発明の一態様は、光学素子を保持する枠体と、前記枠体を保持する筒状の枠体保持部材と、前記光学素子の光軸が前記枠体保持部材の所定軸と平行になるように、前記枠体保持部材の前記所定軸に対する前記枠体の傾きを調整する調整部と、を備え、前記調整部は、ねじ頭と雄ねじ部が形成されたねじ軸とを有する調整用ねじと、前記枠体保持部材に、前記光軸と平行な方向に沿って延びるように、かつ前記雄ねじ部と螺合可能に形成された雌ねじ部と、前記枠体に、前記光軸と平行な方向に沿って穿設された貫通孔と、前記ねじ軸が前記貫通孔に挿通されると前記ねじ頭に当接する前記貫通孔の周囲の当接部と、前記枠体保持部材に、前記雌ねじ部に連続して形成された穴部と、を含み、前記ねじ軸は、前記雄ねじ部から前記調整用ねじのねじ先側に延設され、前記穴部に嵌合する嵌合部を有するものである。
【０００７】
この態様では、調整用ねじは、ねじ頭と雄ねじ部が形成されたねじ軸とを有する。光学素子を保持する枠体には、光学素子の光軸と平行な方向に沿って貫通孔が穿設されている。ねじ軸が貫通孔に挿通されると、貫通穴の周囲の当接部がねじ頭に当接する。枠体保持部材には、光軸と平行な方向に沿って延びるように、かつ雄ねじ部と螺合可能に、雌ねじ部が形成されている。枠体保持部材には、さらに、雌ねじ部に連続して穴部が形成されている。ねじ軸は、調整用ねじのねじ先側に延設された嵌合部を有する。この嵌合部は、枠体保持部材に形成された穴部に嵌合する。
【０００８】
光軸と平行な方向に沿って雌ねじ部が形成され、かつ枠体の当接部がねじ頭に当接しているため、調整用ねじの雄ねじ部と枠体保持部材の雌ねじ部とが螺合した状態で、調整用ねじを締めたり緩めたりすると、枠体保持部材に対する枠体の光軸方向の角度が調整される。
【０００９】
このとき、雄ねじ部と雌ねじ部との間には、調整用ねじを滑らかに締めたり緩めたりすることができるように、遊びが設けられることがある。その場合、調整用ねじの向きが雌ねじ部だけで規定されるときは、遊びがあるために雄ねじ部が雌ねじ部のなかでがたつくことから、調整用ねじの向きは精度良く定まらない。
【００１０】
これに対して、本態様では、調整用ねじの向きは、嵌合部が嵌合することにより、枠体保持部材に形成された穴部によって規定される。この場合において、穴部と嵌合部との間には遊びが必要ないため隙間が殆どない。したがって、調整用ねじの向きは、枠体保持部材に形成された穴部によって精度良く定まることとなる。その結果、本態様によれば、光学素子の光軸が枠体保持部材の所定軸と平行になるように、枠体保持部材の所定軸に対する枠体の傾きを精度良く調整することができる。
【００１１】
上記態様において、例えば、前記枠体と前記枠体保持部材との間に配置され、前記当接部が前記ねじ頭に当接するように、前記枠体を前記枠体保持部材から離れる向きに付勢する付勢部材を更に備えてもよい。
【００１２】
この態様では、枠体と前記枠体保持部材との間に配置された付勢部材によって、当接部がねじ頭に当接するように、枠体が枠体保持部材から離れる向きに付勢される。したがって、調整用ねじが締める向きに回動操作されると、当接部がねじ頭に押されるため、枠体は、付勢部材の付勢力に逆らって、枠体保持部材に近づく。一方、調整用ねじが緩める向きに回動操作されると、付勢部材の付勢力によって、当接部がねじ頭に当接する状態が維持されて、枠体は、枠体保持部材から離れる。その結果、この態様によれば、枠体保持部材に対する枠体の接近及び離間を精度良く行うことができる。
【００１３】
上記態様において、例えば、前記枠体保持部材及び前記調整用ねじは、それぞれ、金属製であってもよい。
【００１４】
上記態様において、例えば、前記雌ねじ部は、前記枠体保持部材に予め形成されていてもよい。
【００１５】
この態様では、雌ねじ部は、枠体保持部材に予め形成されている。また、枠体保持部材及び調整用ねじは、それぞれ、金属製である。このため、調整用ねじを滑らかに緩めたり締めたりできるように、調整用ねじの雄ねじ部と枠体保持部材の雌ねじ部との間には、遊びが設けられている。したがって、調整用ねじの向きが雌ねじ部によって規定されている場合には、この遊びのために雄ねじ部が雌ねじ部のなかでがたついて、調整用ねじの向きが精度良く定まらない。
【００１６】
これに対して、この態様では、調整用ねじの向きは、嵌合部が嵌合することにより、枠体保持部材に形成された穴部によって規定される。この場合において、穴部と嵌合部との間には遊びが必要ないため隙間が殆どない。したがって、調整用ねじの向きは、枠体保持部材に形成された穴部によって精度良く定まることとなる。その結果、本態様によれば、光学素子の光軸が枠体保持部材の所定軸と平行になるように、枠体保持部材の所定軸に対する枠体の傾きを精度良く調整することができる。
【００１７】
上記態様において、例えば、前記ねじ軸は、前記ねじ頭と前記雄ねじ部との間に形成され、前記貫通孔に挿通する位置決め部を更に有してもよい。
【００１８】
この態様では、ねじ軸の、調整用ねじのねじ頭と雄ねじ部との間には、貫通孔に挿通する位置決め部が形成されている。このため、調整用ねじの向きは、位置決め部が挿通する貫通孔によっても規定される。位置決め部と貫通孔との間には、遊びが必要ないため、隙間が殆どない。したがって、調整用ねじの向きは、枠体保持部材に形成された穴部と枠体に穿設された貫通孔とによって、精度良く定まることとなる。その結果、本態様によれば、光学素子の光軸が枠体保持部材の所定軸と平行になるように、枠体保持部材の所定軸に対する枠体の傾きを精度良く調整することができる。
【００１９】
上記態様において、例えば、前記調整部は、前記枠体保持部材の周方向に沿って３箇所に設けられていてもよい。
【００２０】
この態様では、調整部は、枠体保持部材の周方向に沿って３箇所に設けられている。したがって、３個全ての調整用ねじを緩めたり、締めたりすることにより、枠体保持部材に対して枠体を光軸方向に移動させることができる。また、１個又は２個の調整用ねじを緩めたり、締めたりすることにより、枠体保持部材の所定軸に対する枠体の傾きを調整することができる。
【００２１】
なお、上記態様において、前記調整部は、前記枠体保持部材の周方向に沿って等間隔に３箇所に設けられていてもよい。
【００２２】
上記態様において、例えば、前記貫通孔は、前記光軸に平行な方向から見た平面視において、前記枠体保持部材の周方向における長さより径方向における長さの方が長い長孔に形成されていてもよい。
【００２３】
この態様では、貫通孔は、光軸に平行な方向から見た平面視において、枠体保持部材の周方向における長さより径方向における長さの方が長い長孔に形成されている。このため、３箇所の調整部において、調整用ねじの位置決め部と貫通孔との間に隙間が生じる。したがって、この態様によれば、枠体が過拘束になるのを避けることができる。
【発明の効果】
【００２４】
本発明のレンズ鏡筒は、光学素子の光軸が枠体保持部材の所定軸と平行になるように、枠体保持部材の所定軸に対する枠体の傾きを精度良く調整することができる。
【図面の簡単な説明】
【００２５】
【図１】本発明の一実施の形態のレンズ鏡筒の断面図である。
【図２】図１のレンズ鏡筒の要部の拡大断面図である。
【図３】図１、図２のレンズ鏡筒の調整部の拡大断面図である。
【図４】図１のレンズ鏡筒のマウント部材の開口部を像側から見た図である。
【図５】変形された実施形態におけるレンズ鏡筒のマウント部材の開口部を像側から見た図である。
【発明を実施するための形態】
【００２６】
（本開示に係る一態様を発明するに至った経緯）
まず、本開示に係る一態様の着眼点が説明される。上述のように、特許文献１のレンズ鏡筒では、３つの調整ねじがねじ穴にねじ止めされており、これらの３つの調整ねじを締めたり緩めたりすることで、保持枠の光軸に対する傾き及び位置が調整されている。
【００２７】
雄ねじが形成された調整ねじと、雌ねじが形成されたねじ穴との間には、調整ねじを滑らかに締めたり緩めたりできるように、遊びが設けられている。本発明者は、この遊びがあるために、調整ねじがねじ穴に対して微小な角度で傾くことから、保持枠の光軸に対する傾き及び位置の調整精度が低下することを見出した。一方、調整ねじとねじ穴との間に設けられた遊びは、調整ねじを滑らかに締めたり緩めたりできるようにするためには必要不可欠なものである。特に、雄ねじと雌ねじとが金属製の場合、遊びは重要である。
【００２８】
以上のような考察から、本発明者は、調整ねじとねじ穴との間に遊びが設けられていても、調整ねじがねじ穴に対して傾くことを防止して、保持枠の光軸に対する傾き及び位置の調整を精度良く行うことができる構成を想到した。
【００２９】
（実施の形態）
以下、図面を参照しつつ、本開示の実施の形態が説明される。なお、各図では、同様の要素には同様の符号が付され、適宜、説明が省略される。
【００３０】
図１は、本実施の形態のレンズ鏡筒の断面図である。図２は、図１のレンズ鏡筒の要部の拡大断面図である。図３は、図１、図２のレンズ鏡筒の調整部の拡大断面図である。図４は、図１のレンズ鏡筒のマウント部材の開口部を像側から見た図である。なお、各図において、Ｘ方向が対物側であり、Ｙ方向が像側である。
【００３１】
本実施の形態のレンズ鏡筒１は、図１に示されるように、固定筒（枠体保持部材）２と、カム筒３と、マウント部材８と、カバー部材９と、レンズ群保持枠５ａ〜５ｄとを備える。レンズ群保持枠５ａ〜５ｄは、それぞれ、レンズ群５１〜５４を保持する。
【００３２】
固定筒２は、第１固定筒２１と、第２固定筒２２とを備える。第１固定筒２１は、金属製で、円筒状に形成されている。第１固定筒２１は、軸方向に沿って、内周から外周に貫通されるように形成されたガイド溝２１２を備える。
【００３３】
第２固定筒２２（枠体保持部材の一例）は、金属製で、円筒状に形成されている。第２固定筒２２は、第１固定筒２１の像側（Ｙ方向）の端部に固定的に接続されている。第２固定筒２２は、レンズ群保持枠５ｃ，５ｄを保持する。第２固定筒２２は、補強部材４の内周に収納された状態で、補強部材４にボルト（図示省略）によって固定的に接続されている。
【００３４】
補強部材４は、金属製で、略円筒状に形成されている。補強部材４は、外周側に配設された外装部材５によって外周が覆われている。
【００３５】
マウント部材８は、このレンズ鏡筒１をカメラ本体（図示省略）に着脱自在に取り付けるためのものである。マウント部材８は、基準端部８１と、開口部８２とを備える。基準端部８１は、マウント部材８の像側（Ｙ方向）の端部であり、略全周に亘って形成されている。基準端部８１は、カメラ本体を取り付ける基準面を形成する。
【００３６】
開口部８２は、マウント部材８の中心部に形成されている。開口部８２は、マウント部材８の中心部が対物側（Ｘ方向）から像側（Ｙ方向）に貫通されて光軸方向（Ｘ−Ｙ方向）に光が通過可能に形成されており、レンズ群５１〜５４を通ってきた光をカメラ本体に導くことができるようになっている。開口部８２には、このレンズ鏡筒１とカメラ本体とを電気的に接続してレンズ鏡筒１とカメラ本体との間で情報を交換する電気接点部８４が付設されている。
【００３７】
マウント部材８は、固定ボルト８３によって、補強部材４に固定的に取り付けられている。これにより、マウント部材８は、補強部材４を介して、第２固定筒２２に固定されている。なお、図４では、固定ボルト８３の図示が省略されている。
【００３８】
カバー部材９は、略円筒状に形成されている。カバー部材９は、その内周径がマウント部材８の開口部８２における光学的に使用する範囲以外を覆うような大きさに形成されている。カバー部材９は、外周がマウント部材８の内周に嵌め入れられるようにして取り付けられている。
【００３９】
カム筒３は、レンズ群５２を光軸方向（Ｘ−Ｙ方向）に移動操作する。カム筒３は、円筒体からなり、カム溝３１を備える。カム溝３１は、軸方向に傾斜するように形成されている。カム溝３１には、図１に示されるように、レンズ群５２の案内軸５２１が移動可能に入り込んでいる。
【００４０】
カム筒３は、第１固定筒２１における像側（Ｙ方向）の一部の外周に、第１固定筒２１に対して軸方向に移動不可能に、かつ光軸回り（第１固定筒２１の軸回り）に回動自在に保持されている。
【００４１】
レンズ群保持枠５ａ〜５ｄは、対物側（Ｘ方向）から像側（Ｙ方向）に順に配置されている。レンズ群保持枠５ａは、１又は複数のレンズ（光学素子）を有するレンズ群５１を保持し、第１固定筒２１に固定的に保持されている。レンズ群保持枠５ｂは、１又は複数のレンズを有するレンズ群５２を保持し、第１固定筒２１に、光軸方向（第１固定筒２１の軸方向、Ｘ−Ｙ方向）に移動可能に保持されている。このレンズ群保持枠５ｂは、外周に、第１固定筒２１のガイド溝２１２及びカム筒３のカム溝３１に移動可能に入れられた案内軸５２１を備える。案内軸５２１がカム筒３の回動に伴ってガイド溝２１２及びカム溝３１に沿って案内移動させられることにより、レンズ群５２が光軸方向（Ｘ−Ｙ方向）に移動する。
【００４２】
詳しくは、カム筒３を回動操作する回動操作部材によって、カム筒３が回動操作され、そのカム筒３の回動に伴い、レンズ群５２が光軸方向（Ｘ−Ｙ方向）に移動する。この実施形態の回動操作部材は、マニュアルフォーカス操作部材３３と、オートフォーカス操作部材３４と、出力リング３５とを備える。
【００４３】
オートフォーカス操作部材３４は、オートフォーカス用モータ３４１と、オート用入力リング３４２とを備える。オートフォーカス用モータ３４１は、第１固定筒２１に保持されている。オートフォーカス用モータ３４１は、この実施形態では、第１ギア３４１ａを有する出力軸３４１ｂを備える。
【００４４】
オート用入力リング３４２は、ギアを介して、オートフォーカス用モータ３４１と連動可能に連結されている。オート用入力リング３４２は、円筒状に形成されている。オート用入力リング３４２は、外周に、出力軸３４１ｂの第１ギア３４１ａと噛合する第２ギア３４２ａを備える。オート用入力リング３４２は、その像側（Ｙ方向）の面に、後述の出力リング３５の転動ローラー３５１ｂが転動する第１ローラー転動部３４２ｂを備える。オート用入力リング３４２は、第１固定筒２１の外周に、第１固定筒２１の軸まわりに回動自在に配設されている。
【００４５】
マニュアルフォーカス操作部材３３は、手動でカム筒３を回動操作するもので、マニュアル用入力リング３３１と、マニュアル操作リング３３２とを備える。マニュアル用入力リング３３１は、リング板状に形成されている。マニュアル用入力リング３３１は、対物側（Ｘ方向）の面に、後述の出力リング３５の転動ローラー３５１ｂが転動する第２ローラー転動部３３１ａを備える。マニュアル用入力リング３３１は、オート用入力リング３４２と所定間隔を隔ててオート用入力リング３４２の像側（Ｙ方向）に、第１固定筒２１の軸まわりに回動自在に配設されている。
【００４６】
マニュアル操作リング３３２は、マニュアル用入力リング３３１を操作する。マニュアル操作リング３３２は、円筒状に形成されている。マニュアル操作リング３３２は、内周側に、一体的に形成されたフランジからなる操作部３３２ａを備える。この操作部３３２ａは、マニュアル用入力リング３３１を像側（Ｙ方向）から、入力リング付勢バネ３３２ｃを介してマニュアル用入力リング３３１を操作する。
【００４７】
出力リング３５は、円筒状に形成されている。出力リング３５は、３つ（図１では、１つだけが表れている）の連動部材３５１を保持する。
【００４８】
連動部材３５１は、出力リング３５とオート用入力リング３４２とを連動させるとともに、出力リング３５とマニュアル用入力リング３３１とを連動させる。３つの連動部材３５１は、それぞれ、ローラー軸３５１ａと、転動ローラー３５１ｂとを備える。転動ローラー３５１ｂは、ローラー軸３５１ａに回動自在に支持されている。
【００４９】
また、出力リング３５は、連結部材（図示省略）によりカム筒３と連結されている。出力リング３５は、第１固定筒２１の軸方向におけるオート用入力リング３４２とマニュアル用入力リング３３１との間であって、かつ第１固定筒２１の外周側に、第１固定筒２１の軸まわり（光軸まわり）に回動自在に配設されている。
【００５０】
又、この状態で、転動ローラー３５１ｂは、オート用入力リング３４２の第１ローラー転動部３４２ｂとマニュアル用入力リング３３１の第２ローラー転動部３３１ａとの間に配設され、入力リング付勢バネ３３２ｃによって両者に加圧状態で挟持されている。
【００５１】
そして、オートフォーカス操作部材３４によってレンズ群５２を可動させる場合は、レンズ鏡筒１に設けられたオートフォーカススイッチ（図示省略）を入り操作する。これにより、オートフォーカス用モータ３４１が作動する。
【００５２】
このオートフォーカス用モータ３４１の作動に伴って、第１ギア３４１ａと噛合したオート用入力リング３４２が回動する。また、この回動に伴い、転動ローラー３５１ｂが第１ローラー転動部３４２ｂを転動する。その際、転動ローラー３５１ｂが第１ローラー転動部３４２ｂとマニュアル用入力リング３３１の第２ローラー転動部３３１ａとに挟持されているとともに、マニュアル用入力リング３３１が入力リング付勢バネ３３２ｃの付勢力等によって回動が規制されているため、転動ローラー３５１ｂは自転しながら、第１固定筒２１のまわりを公転し、これにより、転動ローラー３５１ｂを保持した出力リング３５が回動する。
【００５３】
そして、その出力リング３５の回動に伴い、カム筒３が回動する。又、カム筒３の回動によって、第１固定筒２１のガイド溝２１２及びカム筒３のカム溝３１夫々に入り込んだ案内軸５２１がそれらの溝２１２，３１を移動し、これにより、レンズ群５２が第１固定筒２１の光軸方向（Ｘ−Ｙ方向）に移動する。
【００５４】
一方、マニュアルフォーカス操作部材３３によってレンズ群５２を可動させる場合は、オートフォーカススイッチを切り操作して、マニュアル操作リング３３２を手で回動操作する。これにより、マニュアル用入力リング３３１が回動し、第２ローラー転動部３３１ａを転動ローラー３５１ｂが転動する。その際、転動ローラー３５１ｂを挟持したオート用入力リング３４２は、オートフォーカス用モータ３４１と噛合して回動できないため、転動ローラー３５１ｂは自転しながら、第１固定筒２１のまわりを公転し、出力リング３５全体が回動する。以下、上述したと同様に、カム筒３が回動してレンズ群５２が第１固定筒２１の光軸方向（Ｘ−Ｙ方向）に駆動できる。
【００５５】
レンズ群保持枠５ｃは、１又は複数のレンズを有するレンズ群５３を保持し、第２固定筒２２に固定的に保持されている。
【００５６】
レンズ群保持枠５ｄ（枠体の一例）は、枠本体部５５と、延設部５６とを備える。枠本体部５５は、筒状に形成され、１又は複数のレンズを有するレンズ群５４を保持する。延設部５６は、枠本体部５５の外周に亘って、枠本体部５５の像側（Ｙ方向）の端部近傍から径方向外側に延びて形成されている。レンズ群保持枠５ｄの延設部５６から第２固定筒２２にかけて、調整部５９が設けられている。調整部５９は、レンズ群５４（光学素子の一例）の光軸方向（Ｘ−Ｙ方向）の傾き及び光軸方向（Ｘ−Ｙ方向）の位置を調整する。調整部５９は、この実施形態では、延設部５６の周方向に沿って等間隔に３箇所に設けられている。調整部５９については、後に詳述される。
【００５７】
レンズ群保持枠５ｄの延設部５６と第２固定筒２２との間に、接着剤充填部５７が設けられている。接着剤充填部５７は、延設部５６の周方向における調整部５９の両側の近傍に、調整部５９と隣接するように設けられている。第２固定筒２２には、像側（Ｙ方向）に突出した突設部２２ａが設けられている。延設部５６の周方向における調整部５９の両側の一部は、延設部５６の像側（Ｙ方向）の端面から対物側（Ｘ方向）に折り曲げられて、折り曲げ部５６ｂが形成されている。接着剤充填部５７は、折り曲げ部５６ｂが突設部２２ａに当接することで形成された凹部からなる。すなわち、図３に示されるように、調整用ねじ６１によってレンズ群保持枠５ｄが第２固定筒２２に取り付けられると、図２に示されるように、折り曲げ部５６ｂの外周側が第２固定筒２２の突設部２２ａによって覆われた状態になり、接着剤充填部５７が形成される。
【００５８】
接着剤充填部５７は、図４に示されるように、光軸方向（Ｘ−Ｙ方向）の像側（Ｙ方向）から、マウント部材８の開口部８２の径方向内側に見える。このため、マウント部材８の開口部８２から接着剤充填部５７に接着剤５８を充填することができる。接着剤充填部５７には、調整部５９による調整後に接着剤５８が充填される。
【００５９】
なお、接着剤充填部５７は、調整部５９にできるだけ近い位置に設けることが望ましいが、調整部５９の近傍であれば、調整部５９の径方向の外側に設けても構わない。また、接着剤充填部５７は、複数設けられてもよい。接着剤充填部５７は、例えば調整部５９の外径側に１か所設けられてもよいが、その場合には、接着剤充填部５７のスペースを確保するために、固定筒２が大径化する。本実施の形態では、上述の通り、調整部５９の周方向に隣接させて接着剤充填部５７が配置されている。このため、固定筒２の小径化が実現されている。
【００６０】
調整部５９は、この実施形態では、レンズ群保持枠５ｄの延設部５６の周方向に沿って等間隔に３箇所に配置されている。各調整部５９は、調整用ねじ６１、付勢部材６２等を備える。
【００６１】
調整用ねじ６１は、短高柱状のねじ頭６１ａと、ねじ頭６１ａより短径で、ねじ頭６１ａの一方端から延びる円柱状のねじ軸６１ｆとを備える。ねじ軸６１ｆは、ねじ頭６１ａ側から順に、位置決め部６１ｂと、雄ねじ部６１ｃと、嵌合部６１ｄと、を備える。ねじ頭６１ａの先端面には、工具と係脱自在に係合して調整用ねじ６１を回動操作するための操作用溝６１ｅ（図４）が、径方向に延び、所定深さで形成されている。
【００６２】
位置決め部６１ｂは、調整用ねじ６１のねじ軸６１ｆにおいて、ねじ頭６１ａに隣接して形成されている。位置決め部６１ｂは、円柱状に形成されており、位置決め部６１ｂには、ねじが形成されていない。嵌合部６１ｄは、調整用ねじ６１のねじ軸６１ｆにおいて、ねじ先側に形成されている。嵌合部６１ｄは、円柱状に形成され、嵌合部６１ｄには、ねじが形成されていない。雄ねじ部６１ｃは、位置決め部６１ｂと嵌合部６１ｄとの間に形成されている。
【００６３】
レンズ群保持枠５ｄの延設部５６には、調整用ねじ６１のねじ軸６１ｆが挿通可能な径で、光軸方向（Ｘ−Ｙ方向）に貫通する貫通孔５６ａが穿設されている。
【００６４】
第２固定筒２２の像側（Ｙ方向）の端面には、対物側（Ｘ方向）に向けて光軸方向（Ｘ−Ｙ方向）に延びるねじ穴２３が穿設されている。ねじ穴２３は、雌ねじ部２３ａと、穴部２３ｂとを備える。雌ねじ部２３ａは、ねじ穴２３の像側（Ｙ方向）に形成されている。穴部２３ｂは、中空円柱状で、雌ねじ部２３ａの対物側（Ｘ方向）に形成されている。
【００６５】
調整用ねじ６１のねじ頭６１ａは、延設部５６の貫通孔５６ａの周囲の当接部５６ｃに当接され、調整用ねじ６１の位置決め部６１ｂは、延設部５６の貫通孔５６ａに挿通され、調整用ねじ６１の雄ねじ部６１ｃは、第２固定筒２２のねじ穴２３の雌ねじ部２３ａに螺合し、調整用ねじ６１の嵌合部６１ｄは、第２固定筒２２のねじ穴２３の穴部２３ｂに嵌まり込んでいる。
【００６６】
調整用ねじ６１のねじ頭６１ａと、レンズ群保持枠５ｄの延設部５６の貫通孔５６ａとは、ねじ頭６１ａの直径が貫通孔５６ａの直径より大きくなるように形成されている。調整用ねじ６１の雄ねじ部６１ｃと、貫通孔５６ａとは、雄ねじ部６１ｃのねじ山の直径が貫通孔５６ａの直径より小さくなるように形成されている。調整用ねじ６１の嵌合部６１ｄと、ねじ穴２３の雌ねじ部２３ａとは、嵌合部６１ｄの直径が雌ねじ部２３ａのねじ山の直径より小さくなるように形成されている。
【００６７】
また、調整用ねじ６１の位置決め部６１ｂと、レンズ群保持枠５ｄの延設部５６の貫通孔５６ａとは、殆ど隙間が無く位置決め部６１ｂが貫通孔５６ａに挿通されるように形成されている。調整用ねじ６１の嵌合部６１ｄと、第２固定筒２２のねじ穴２３の穴部２３ｂとは、殆ど隙間が無く嵌合部６１ｄが穴部２３ｂに嵌まり込むように形成されている。
【００６８】
このような構成により、レンズ群保持枠５ｄの延設部５６の貫通孔５６ａに挿通し、かつ、嵌合部６１ｄが穴部２３ｂに嵌まり込んだ状態で、調整用ねじ６１を第２固定筒２２のねじ穴２３に対して締めたり緩めたりすることができる。
【００６９】
図２に示されるように、レンズ群保持枠５ｄの延設部５６の貫通孔５６ａの中心が、レンズ群保持枠５ｄの枠本体部５５の中心Ｏからの半径ｒ２がマウント部材８の開口部８２の半径ｒ１よりも小さく、かつ、カバー部材９の最小部の半径ｒ３よりも大きくなる位置に、貫通孔５６ａは形成されている。このような構成により、調整用ねじ６１のねじ頭６１ａに形成された操作用溝６１ｅ（図４）は、光軸方向（Ｘ−Ｙ方向）の像側（Ｙ方向）から見てマウント部材８の開口部８２の径方向内側に位置する。その結果、工具を用いてマウント部材８の開口部８２から操作用溝６１ｅを操作することができる。
【００７０】
付勢部材６２は、本実施形態では、図３に示されるように、内部に調整用ねじ６１の軸が挿通可能な大きさの圧縮コイルばねにより構成されている。付勢部材６２の像側（Ｙ方向）の一方端は、レンズ群保持枠５ｄの延設部５６の対物側（Ｘ方向）の当接部５６ｄに当接している。付勢部材６２の対物側（Ｘ方向）の他方端は、第２固定筒２２のねじ穴２３の周囲の当接部２２ｂに当接している。この構成により、付勢部材６２は、常時、レンズ群保持枠５ｄの延設部５６を、第２固定筒２２から像側（Ｙ方向）に離れる方向に、調整用ねじ６１のねじ頭６１ａに向けて付勢している。
【００７１】
したがって、調整用ねじ６１が締める方向に回動操作されると、調整用ねじ６１のねじ頭６１ａに押されて、レンズ群保持枠５ｄは、付勢部材６２の付勢力に逆らって、対物側（Ｘ方向）に移動する。一方、調整用ねじ６１が緩める方向に回動操作されると、レンズ群保持枠５ｄは、付勢部材６２の付勢力に押されて、像側（Ｙ方向）に移動する。
【００７２】
このように構成された調整部５９において、例えば３つの調整用ねじ６１のうちの１つ又は２つの調整用ねじ６１が回動操作されると、レンズ群保持枠５ｄの軸の向き（つまり、レンズ群５４の光軸の傾き）が調整される。また、３つ全ての調整用ねじ６１が同じ量だけ回動操作されると、レンズ群保持枠５ｄ（レンズ群５４）が光軸方向（Ｘ−Ｙ方向）に移動して光軸方向の位置が調整される。なお、調整後に、調整用ねじ６１が回転しないように、調整用ねじ６１のねじ頭６１ａをレンズ群保持枠５ｄの延設部５６に接着してもよい。
【００７３】
調整用ねじ６１の嵌合部６１ｄは、第２固定筒２２のねじ穴２３の穴部２３ｂに嵌まり込んでいる。したがって、調整用ねじ６１の向きは、第２固定筒２２のねじ穴２３の穴部２３ｂによって規定される。
【００７４】
調整用ねじ６１の雄ねじ部６１ｃのねじ山と、第２固定筒２２のねじ穴２３の雌ねじ部２３ａのねじ山との間には、遊びが設けられている。これによって、調整用ねじ６１を滑らかに回動操作できるようになっている。これに対して、調整用ねじ６１の嵌合部６１ｄと、第２固定筒２２のねじ穴２３の穴部２３ｂとの間には、遊びが必要ないため隙間が殆どない。
【００７５】
したがって、調整用ねじ６１の雄ねじ部６１ｃのねじ山と、第２固定筒２２のねじ穴２３の雌ねじ部２３ａのねじ山との間に設けられた遊びによる影響を受けずに、調整用ねじ６１の向きは、第２固定筒２２のねじ穴２３の穴部２３ｂによって、精度良く規定される。その結果、本実施形態によれば、嵌合部６１ｄが無くて、第２固定筒２２のねじ穴２３の雌ねじ部２３ａによって調整用ねじ６１の向きが規定されている場合に比べて、レンズ群保持枠５ｄの調整方向の精度を向上することができる。
【００７６】
さらに、図３に示されるように、調整用ねじ６１の位置決め部６１ｂが、延設部５６の貫通孔５６ａに挿通されている。調整用ねじ６１の位置決め部６１ｂと、延設部５６の貫通孔５６ａとの間にも、遊びが必要ないため隙間が殆どない。したがって、調整用ねじ６１の向きは、第２固定筒２２のねじ穴２３の穴部２３ｂと、延設部５６の貫通孔５６ａとの２箇所で、規定されることとなる。その結果、本実施形態によれば、レンズ群保持枠５ｄの調整方向の精度を更に向上することができる。
【００７７】
以上のように構成されたレンズ鏡筒１において、レンズ群保持枠５ｄは、調整用ねじ６１によって、第２固定筒２２に取り付けられる。また、マウント部材８は、補強部材４を介して第２固定筒２２に固定される。この状態で、例えばマウント部材８の基準端部８１を基準にして、調整用ねじ６１を回動操作して、基準端部８１に対する、レンズ群保持枠５ｄに保持されたレンズ群５４の光軸の向き（傾き）と光軸方向の位置とが調整される。この調整は、開口部８２から工具を調整用ねじ６１の操作用溝６１ｅに係合させることによって、行われる。
【００７８】
そして、調整終了後、マウント部材８の開口部８２から接着剤充填部５７に接着剤５８が充填される。この接着剤５８の充填も開口部８２から行われるため、マウント部材８が取り付けられた状態で行うことができる。
【００７９】
また、調整用ねじ６１による調整の際、レンズ群５４が第２固定筒２２に対して光軸方向に移動して接着剤充填部５７が光軸方向に移動しても、接着剤充填部５７を形成する突設部２２ａの光軸方向の長さが十分に長いため、接着剤充填部５７が浅くなるようなことがなく、一定量の接着剤５８を充填することが可能になっている。これによって、レンズ群保持枠５ｄと第２固定筒２２とが強固に接着される。
【００８０】
接着剤５８の充填後に、カバー部材９が、マウント部材８の開口部８２に取り付けられる。カバー部材９が取り付けられた状態で、調整部５９は、光軸方向から見てカバー部材９で覆われる。この構成により、調整用ねじ６１がユーザ等に誤って操作されるおそれが少なくなる。
【００８１】
また、カバー部材９は、カバー部材９の材料又は形状によって、マウント部材８に比べて部品強度が弱く形成されている。このため、カバー部材９の取り付けによって、マウント部材８が変形することはない。具体的には、本実施形態では例えば、マウント部材８は金属材料で形成され、カバー部材９は樹脂材料で形成されている。また、カバー部材９の厚さは、マウント部材８の厚さに比べて薄い。この構成によって、カバー部材９は、マウント部材８よりも強度が弱い。また、マウント部材８の補強部材４への取付位置からカバー部材９の取付位置は離れている。これらによって、カバー部材９をマウント部材８に取り付ける際に、補強部材４を変形させることはない。よって、調整部５９の調整が行われた後に、カバー部材９がマウント部材８に取り付けられても、その取り付けによって調整ずれを起こす可能性は低い。
【００８２】
このように構成されたレンズ鏡筒１は、マウント部材８の基準端部８１にカメラ本体の一部が当接するようにしてカメラ本体に取り付けられて使用される。このようにしてカメラ本体に取り付けられたレンズ鏡筒１では、マウント部材８の基準端部８１を基準にして、レンズ群保持枠５ｄに保持されたレンズ群５４の光軸の向き（傾き）と光軸方向の位置とが調整されている。このため、レンズ鏡筒１のレンズ群がカメラ本体に設けられた撮像素子等に対して正確に位置合わせされた状態になる。
【００８３】
以上説明されたように、本実施形態では、調整用ねじ６１の嵌合部６１ｄは、第２固定筒２２のねじ穴２３の穴部２３ｂに嵌まり込んでいる。調整用ねじ６１の嵌合部６１ｄと、第２固定筒２２のねじ穴２３の穴部２３ｂとの間には、遊びが必要ないため隙間が殆どない。したがって、本実施形態によれば、レンズ群保持枠５ｄの調整方向の精度を向上することができる。
【００８４】
また、本実施形態では、調整用ねじ６１の位置決め部６１ｂが、延設部５６の貫通孔５６ａに挿通されている。調整用ねじ６１の位置決め部６１ｂと、延設部５６の貫通孔５６ａとの間にも、遊びが必要ないため隙間が殆どない。したがって、調整用ねじ６１の向きは、第２固定筒２２のねじ穴２３の穴部２３ｂと、延設部５６の貫通孔５６ａとの２箇所で、規定されることとなる。このため、本実施形態によれば、レンズ群保持枠５ｄの調整方向の精度を更に向上することができる。その結果、本実施形態によれば、高性能のレンズ鏡筒１を提供することができる。
【００８５】
（変形された実施形態）
（１）上記実施形態において、レンズ群保持枠５ｄの延設部５６の貫通孔５６ａの形状は、光軸方向（Ｘ−Ｙ方向）に見た平面視で円形に限られない。
【００８６】
図５は、変形された実施形態におけるレンズ鏡筒のマウント部材の開口部を像側から見た図である。図５では、レンズ群保持枠５ｄの延設部５６に形成された貫通孔５６ａの形状が分かるように、調整用ねじ６１が取り外された状態が示されている。図５に示されるように、貫通孔５６ａは、像側（Ｙ方向）から光軸方向（Ｘ−Ｙ方向）に見た平面視において、レンズ群保持枠５ｄの枠本体部５５の周方向における長さより、径方向における長さの方が長い長孔に形成されている。すなわち、長孔である貫通孔５６ａの長軸が径方向に沿っている。
【００８７】
上記実施形態では、上述のように、調整用ねじ６１の嵌合部６１ｄが、第２固定筒２２のねじ穴２３の穴部２３ｂに嵌まり込んでおり、調整用ねじ６１の向きは、嵌合部６１ｄが嵌まり込んでいる穴部２３ｂによって規定される。この構成では、光軸方向（Ｘ−Ｙ方向）に直交する面におけるレンズ群保持枠５ｄの位置（例えば図２中、上下方向におけるレンズ群保持枠５ｄの位置）も、嵌合部６１ｄが嵌まり込んでいる穴部２３ｂによって規定される。
【００８８】
この場合において、延設部５６の貫通孔５６ａの平面視の形状が円形で、調整用ねじ６１の位置決め部６１ｂとの間に隙間が殆どなければ、レンズ群保持枠５ｄが過拘束になる可能性がある。レンズ群保持枠５ｄが過拘束になると、レンズ群保持枠５ｄに予期しない力が加わる。その場合、時間が経過すると、レンズ群保持枠５ｄが変形してしまう可能性がある。
【００８９】
これに対して、図５の実施形態では、延設部５６の貫通孔５６ａの形状は、平面視で長孔に形成されている。このため、延設部５６の貫通孔５６ａと、調整用ねじ６１の位置決め部６１ｂとの間に隙間が生じる。したがって、レンズ群保持枠５ｄが過拘束になるのを避けることができる。その結果、レンズ群保持枠５ｄが変形するのを未然に防止することができる。
【００９０】
なお、図５の実施形態でも、調整用ねじ６１の嵌合部６１ｄは、第２固定筒２２のねじ穴２３の穴部２３ｂに嵌まり込んでおり、調整用ねじ６１の嵌合部６１ｄと、第２固定筒２２のねじ穴２３の穴部２３ｂとの間には、隙間が殆どないため、図５の実施形態によれば、上記実施形態と同様に、レンズ群保持枠５ｄの調整方向の精度を向上することができる。
【００９１】
（２）上記実施形態では、付勢部材６２は、調整用ねじ６１に隣接して配置されているが、付勢部材６２の配置位置は、調整用ねじ６１から離れた位置でもよい。また、上記実施形態では、付勢部材６２は、圧縮コイルばねにより構成されているが、これに限られない。付勢部材６２は、例えば、引っ張りばねでもよい。要は、付勢部材６２は、レンズ群保持枠５ｄの延設部５６を、第２固定筒２２から像側（Ｙ方向）に離れる方向に、調整用ねじ６１のねじ頭６１ａに向けて付勢するものであればよい。
【００９２】
（３）上記実施形態及び図５の実施形態では、調整部５９は、レンズ群保持枠５ｄの延設部５６の周方向に沿って等間隔に３箇所に配置されているが、等間隔でなくてもよい。調整部５９は、レンズ群保持枠５ｄの延設部５６の周方向に沿って、３箇所に設けられていればよい。
【００９３】
（４）上記実施形態では、調整部５９は、レンズ群保持枠５ｄの延設部５６の周方向に沿って３箇所に配置されているが、３箇所でなくてもよい。調整部５９は、レンズ群保持枠５ｄの延設部５６の１箇所に配置されていてもよい。調整部５９の他の２箇所の位置では、レンズ群保持枠５ｄの延設部５６を第２固定筒２２に固定しておいてもよい。
【００９４】
この構成でも、１箇所の調整用ねじ６１を締めたり緩めたりすることにより、レンズ群５４の光軸方向（Ｘ−Ｙ方向）の傾きを調整することができる。
【００９５】
（５）上記実施形態では、レンズ鏡筒１は、マウント部材８に対してカメラ本体が接続されて使用されているが、カメラ本体に限られない。マウント部材８に取り付けられる部材は、レンズ群保持枠５ｄに保持されているレンズ群５４とは別の少なくとも１つの光学素子を有する固定部材であってもよい。
【００９６】
（６）上記実施形態では、レンズ鏡筒１は、４個のレンズ群を備えているが、これに限られない。レンズ鏡筒１は、１〜３個又は５個以上のレンズ群を備えてもよい。
【００９７】
（７）上記実施形態では、調整部５９は、レンズ群保持枠５ｄに設けられているが、これに限られない。調整部５９は、他のレンズ群保持枠に設けられてもよい。
【符号の説明】
【００９８】
１  レンズ鏡筒
２  固定筒
２２  第２固定筒
２３  ねじ穴
２３ａ  雌ねじ部
２３ｂ  穴部
５ｄ  レンズ群保持枠
５４  レンズ群
５６  延設部
５６ａ  貫通孔
５６ｃ  当接部
５９  調整部
６１  調整用ねじ
６１ａ  ねじ頭
６１ｂ  位置決め部
６１ｃ  嵌合部
６１ｄ  雄ねじ部
６１ｆ  ねじ軸
６２  付勢部材
【図１】
2018049049.tif 000003
【図２】
2018049049.tif 000004
【図３】
2018049049.tif 000005
【図４】
2018049049.tif 000006
【図５】
2018049049.tif 000007